(57)【要約】【課題】記入誤りの有る投票カードの修正を迅速に行うことを可能にする自動発券装置、投票カードの修正方法、及び、プログラムを提供する。【解決手段】挿入部２０１は、予め投票内容が記入された投票カードを受け付ける。読取部２０４は、受け付けた投票カードの内容を読み取り、読み取ったデータを記憶部２０５に格納する。記入誤り検出部２１０Ｂは、投票カードの記入誤りを検出し、記入誤りを検出した際には更に記入誤りの数をカウントする。入力画面制御部２１０Ｈは、記入誤りの数が閾値以下である場合のみ、前記記入誤りを修正可能とする入力手段が配置され、且つ、記入誤りに対する修正指示の内容を示す修正指示画面を表示部２０６の表示画面上に表示させる。返却部２０８は、記入誤りが検出された場合に、記入誤りが検出された投票カードを返却する。入力手段により修正完了後に返却された該投票カードを一枚挿入口２０１Ｂに挿入することにより投票券を発券する。【選択図】図３
2014206796.tif 000002
【特許請求の範囲】
【請求項１】
予め申し込み内容が記入された投票カードを受け付ける挿入部と、
前記挿入部に挿入された前記投票カードの内容を読み取り、読み取ったデータを記憶手段に格納する読取部と、
前記データに基づいて、前記投票カードの記入誤りを検出し、記入誤りを検出した際には更に該記入誤りの数をカウントする記入誤り検出部と、
前記記入誤り検出部が前記投票カードの記入誤りを検出した場合に、前記記入誤りの数が予め設定されている閾値以下か否かを判定する判定部と、
前記判定部により、前記記入誤りの数が前記閾値以下であると判定された場合のみ、前記記入誤りに対する修正指示の内容を示し、前記記入誤りを修正可能とする入力手段が配置されている修正指示画面を表示手段に表示させる入力画面制御部と、
前記記入誤り検出部により記入誤りが検出された場合に、該記入誤りが検出された前記投票カードを返却する返却部と、
前記投票カードの記入誤りが検出されない場合に、前記投票カードの前記申し込み内容を反映させた券を発券するための処理を実行する発券処理部と、
を備える、
ことを特徴とする自動発券装置。
【請求項２】
前記判定部は、前記修正指示画面が表示された場合に、更に、前記記入誤りの修正が実行されたか否かを判定し、
前記入力画面制御部は、更に、前記判定部により前記記入誤りの修正が実行されたと判定された場合に、実行された修正の内容が正しいか否かを確認させるための修正内容確認画面を前記表示手段に表示させ、
前記修正内容確認画面が表示された後に、前記挿入部が前記投票カードを再度受け付けると、前記発券処理部は、前記実行された修正の内容を反映させた申し込み内容の券を発券するための処理を実行する、
ことを特徴とする請求項１に記載の自動発券装置。
【請求項３】
前記挿入部が再度受け付けた前記投票カードと前記返却部が返却した投票カードとが同一のカードか否かを判定する同一性判定部と、
前記同一性判定部により両カードは同一のカードではないと判定された場合に、前記挿入部が再度受け付けた投票カードと前記返却部が返却した投票カードのいずれの処理を実行するのかをユーザに選択させ、前記選択に応じた処理を実行させる制御部と、
を更に備え、
前記発券処理部は、前記同一性判定部により両カードは同一のカードであると判定された場合に、前記実行された修正の内容を反映させた申し込み内容の券を発券するための処理を実行する、
ことを特徴とする請求項２に記載の自動発券装置。
【請求項４】
前記投票カードは、カードの種別を一意に識別する種別識別情報を含み、
前記同一性判定部は、前記種別識別情報に基づいて、前記挿入部が再度受け付けた前記投票カードと前記返却部が返却した投票カードの種別が一致するか否かを判定し、種別が一致する場合には、更に、ユーザにより記入された前記申し込み内容の一致率に基づいて、両カードの同一性を判定する、
ことを特徴とする請求項３に記載の自動発券装置。
【請求項５】
前記修正指示画面上には、更に、処理対象の投票カードを返却させるための返却入力手段が配置されており、
前記返却部は、前記修正指示画面が表示された場合は、前記返却入力手段が選択された場合のみ、処理対象の投票カードを返却する、
ことを特徴とする請求項１乃至４のいずれか一に記載の自動発券装置。
【請求項６】
前記判定部は、前記修正指示画面が表示された場合に、更に、前記記入誤りの修正が実行されたか否かを判定し、
前記判定部により前記記入誤りの修正が実行されたと判定される前に、前記挿入部が前記投票カードを再度受け付けると、前記挿入部が再度受け付けた前記投票カードと前記返却部が返却した投票カードとが同一のカードか否かを判定する同一性判定部を更に備え、
前記発券処理部は、前記同一性判定部により両カードは同一のカードであると判定された場合に、前記挿入部が再度受け付けた前記投票カードの申し込み内容に基づいて、発券処理を実行する、
ことを特徴とする請求項１乃至５のいずれか一に記載の自動発券装置。
【請求項７】
前記判定部により、前記記入誤りの数が前記閾値以下であると判定された投票カードを一時的に保留する保留部を更に備え、
前記挿入部は、一度に複数の投票カードを受け付け可能であり、
前記挿入部が受け付けた全ての投票カードに対する、前記記入誤り検出部による処理が実行され、記入誤りがないとされた投票カードに対する前記発券処理部による発券処理が終了した後に、前記保留部に保留されている投票カードにおける処理を実行する、
ことを特徴とする請求項１乃至６のいずれか一に記載の自動発券装置。
【請求項８】
前記読取部により読み取られたマークの中に、予め設定されている規定値の範囲に含まれない規定値外マークが存在する場合に、該規定値外マークが特定する情報を、前記記入誤りとして、前記修正指示画面上に更に表示させる、
ことを特徴とする請求項１乃至７のいずれか一に記載の自動発券装置。
【請求項９】
予め申し込み内容が記入された投票カードを受け付け、
受け付けた前記投票カードの内容を読み取り、読み取ったデータを記憶手段に格納し、
前記データに基づいて、前記投票カードの記入誤りを検出し、記入誤りを検出した際には更に該記入誤りの数をカウントし、
前記投票カードの記入誤りを検出した場合に、前記記入誤りの数が予め設定されている閾値以下か否かを判定し、
前記記入誤りの数が前記閾値以下であると判定された場合のみ、前記記入誤りに対する修正指示の内容を示し、前記記入誤りを修正可能とする入力手段が配置されている修正指示画面を表示手段に表示させ、
記入誤りが検出された場合に、該記入誤りが検出された前記投票カードを返却する、
ことを特徴とする投票カードの修正方法。
【請求項１０】
コンピュータに、
予め申し込み内容が記入された投票カードを受け付け、
受け付けた前記投票カードの内容を読み取り、読み取ったデータを記憶手段に格納し、
前記データに基づいて、前記投票カードの記入誤りを検出し、記入誤りを検出した際には更に該記入誤りの数をカウントし、
前記投票カードの記入誤りを検出した場合に、前記記入誤りの数が予め設定されている閾値以下か否かを判定し、
前記記入誤りの数が前記閾値以下であると判定された場合のみ、前記記入誤りに対する修正指示の内容を示し、前記記入誤りを修正可能とする入力手段が配置されている修正指示画面を表示手段に表示させ、
記入誤りが検出された場合に、該記入誤りが検出された前記投票カードを返却する、
処理を実行させる、
ことを特徴とするプログラム。
【発明の詳細な説明】
【技術分野】
【０００１】
本発明は、自動発券装置、投票カードの修正方法、及び、プログラムに関する。
【背景技術】
【０００２】
競馬場などの公営競技場やその場外発券場などには、顧客（以下、ファンと呼ぶ）により投票内容（場、レース、組番、金額など）が予め記入（マーク）されたＯＭＲ（Optical Mark Recognition）カード式の投票カードを挿入することで、ファンの希望に応じた投票券が発券される自動発券装置が設置されている。
【０００３】
ファンの希望に応じた投票券を発券するためには、上述したように、ファンは投票カードに投票内容を予め記入する必要がある。ファンの中には、希望するレースのオッズがある程度確定した段階で投票カードを記入して、投票券の発券を行うファンも少なからずいる。
【０００４】
しかしながら、レースのオッズがある程度確定するのは、レース開始直前であり、ファンは、発券締め切りに間に合わせるために、急いで投票カードの記入を行うため、記入誤りなどが発生してしまう。
【０００５】
投票カードに記入誤りがある場合には、従来では、記入誤りの数に応じて、投票カードを返却するか、表示画面上に記入誤りの箇所を表示し、タッチパネルなどの入力手段により記入誤りを修正させるか、を決定している。（例えば、特許文献１を参照）。
【先行技術文献】
【特許文献】
【０００６】
【特許文献１】特開平５−８１３０５号公報
【発明の概要】
【発明が解決しようとする課題】
【０００７】
しかしながら、投票カードを返却しないで、投票カードの記入誤りをタッチパネルなどの入力手段により修正させることが選択された場合であっても、ファンにより投票カードの返却操作が行われる場合が多々生じている。
【０００８】
複数の投票カードが挿入されている場合、従来の自動発券装置では、返却された投票カードを返却口から抜き取ると、次の投票カードが読み込まれ、読み込まれた次の投票カードの内容が表示画面に表示されてしまう。
【０００９】
そのため、返却された記入誤りのある投票カードと、表示画面に表示された記入誤りの箇所とを見比べて、修正を行うことができなかった。特に、発券締め切り間近においては、投票カードの記入誤りを迅速に修正できるようにファンを導くことは、ファンサービスの観点からも非常に重要である。
【００１０】
上記問題点に鑑み、本発明では、記入誤りの有る投票カードの修正を迅速に行えるようにすることを可能にする自動発券装置、投票カードの修正方法、及び、プログラムを提供することを課題とする。
【課題を解決するための手段】
【００１１】
本発明に係る自動発券装置は、予め申し込み内容が記入された投票カードを受け付ける挿入部と、前記挿入部に挿入された前記投票カードの内容を読み取り、読み取ったデータを記憶手段に格納する読取部と、前記データに基づいて、前記投票カードの記入誤りを検出し、記入誤りを検出した際には更に該記入誤りの数をカウントする記入誤り検出部と、前記記入誤り検出部が前記投票カードの記入誤りを検出した場合に、前記記入誤りの数が予め設定されている閾値以下か否かを判定する判定部と、前記判定部により、前記記入誤りの数が前記閾値以下であると判定された場合のみ、前記記入誤りに対する修正指示の内容を示し、前記記入誤りを修正可能とする入力手段が配置されている修正指示画面を表示手段に表示させる入力画面制御部と、前記記入誤り検出部により記入誤りが検出された場合に、該記入誤りが検出された前記投票カードを返却する返却部と、前記投票カードの記入誤りが検出されない場合に、前記投票カードの前記申し込み内容を反映させた券を発券するための処理を実行する発券処理部と、を備えるものである。
【００１２】
また、本発明に係る投票カードの修正方法は、予め申し込み内容が記入された投票カードを受け付け、受け付けた前記投票カードの内容を読み取り、読み取ったデータを記憶手段に格納し、前記データに基づいて、前記投票カードの記入誤りを検出し、記入誤りを検出した際には更に該記入誤りの数をカウントし、前記投票カードの記入誤りを検出した場合に、前記記入誤りの数が予め設定されている閾値以下か否かを判定し、前記記入誤りの数が前記閾値以下であると判定された場合のみ、前記記入誤りに対する修正指示の内容を示し、前記記入誤りを修正可能とする入力手段が配置されている修正指示画面を表示手段に表示させ、記入誤りが検出された場合に、該記入誤りが検出された前記投票カードを返却するものである。
【００１３】
また、本発明に係るプログラムは、コンピュータに、予め申し込み内容が記入された投票カードを受け付け、受け付けた前記投票カードの内容を読み取り、読み取ったデータを記憶手段に格納し、前記データに基づいて、前記投票カードの記入誤りを検出し、記入誤りを検出した際には更に該記入誤りの数をカウントし、前記投票カードの記入誤りを検出した場合に、前記記入誤りの数が予め設定されている閾値以下か否かを判定し、前記記入誤りの数が前記閾値以下であると判定された場合のみ、前記記入誤りに対する修正指示の内容を示し、前記記入誤りを修正可能とする入力手段が配置されている修正指示画面を表示手段に表示させ、記入誤りが検出された場合に、該記入誤りが検出された前記投票カードを返却する、処理を実行させるものである。
【発明の効果】
【００１４】
本発明によれば、記入誤りの有る投票カードの修正を迅速に行うことで、ファンサービスの向上と、自動発券装置の稼動効率とを向上させることが可能となる。
【図面の簡単な説明】
【００１５】
【図１】実施形態１におけるトータリゼータシステムの構成例を示す図である。
【図２】実施形態１におけるＯＭＲカード式の投票カードの例を示す図である。
【図３】実施形態１における自動発券装置の構成例を示す機能ブロック図である。
【図４】処理対象の投票カードの記入誤りが、組番ブロックにおける記入誤りである場合の修正指示画面の例を示す図である。
【図５】処理対象の投票カードの記入誤りが、組番ブロックにおける記入誤りであり、組番の記入が一部欠落している場合の修正指示画面の例を示す図である。
【図６】修正内容確認画面の例を示す図である。
【図７Ａ】実施形態１における投票カード修正処理のフローを説明するためのフローチャートの例の一部である。
【図７Ｂ】実施形態１における投票カード修正処理のフローを説明するためのフローチャートの例の一部である。
【図８】実施形態１における投票カード修正処理のフローを説明するためのフローチャートの例の他の一部である。
【図９】実施形態１の自動発券装置における物理的構成の例の概略図である。
【図１０】実施形態２における投票カード修正処理のフローを説明するためのフローチャートの例の一部である。
【図１１】実施形態３における修正指示画面の例を示す図である。
【図１２】実施形態３における修正対象の投票カードを返却しないで画面上で修正が実行された場合の修正内容確認画面の例を示す図である。
【図１３】実施形態３における投票カード修正処理のフローを説明するためのフローチャートの例の一部である。
【図１４】実施形態４の自動発券装置における物理的構成の例の概略図である。
【図１５】実施形態４における投票カード修正処理のフローを説明するためのフローチャートの例の一部である。
【図１６】処理対象の投票カードのマークに規定外のマークが存在した場合の修正指示画面の例を示す図である。
【図１７】処理対象の投票カードのマークに規定外のマークが存在した場合の修正指示画面の別の例を示す図である。
【図１８Ａ】一時的に返却された投票カードと一枚挿入口から挿入された投票カードとの同一性判定の別の方法の例を説明するための図である。
【図１８Ｂ】一時的に返却された投票カードと一枚挿入口から挿入された投票カードとの同一性判定の別の方法の例を説明するための図である。
【図１８Ｃ】一時的に返却された投票カードと一枚挿入口から挿入された投票カードとの同一性判定の別の方法の例を説明するための図である。
【発明を実施するための形態】
【００１６】
以下に実施の形態について図面を参照しながら詳細に説明する。
【００１７】
（実施形態１）
図１は、本実施形態１のトータリゼータシステム１の構成例を示す図であり、トータリゼータシステム１は、図１に示すように、複数の自動発券装置２と、ネットワークＮＷを介して複数の自動発券装置２と接続されており、それら複数の自動発券装置２を管理する管理装置３と、を備えている。
【００１８】
図２は、実施形態１におけるＯＭＲカード式の投票カードＣの例を示す図である。投票カードＣには、図２に示すように、開催場の一覧から購入する場名を指定（マーク）するための場名ブロックＣａ、購入するレースを指定するためのレース番号ブロックＣｂ、購入する券の式別（例えば、単勝式、複勝式、枠連式など）を指定するための式別ブロックＣｃ、購入する組番を指定するための組番ブロックＣｄ、購入金額と単位をそれぞれ指定するための金額ブロックＣｅと単位ブロックＣｆ、投票カードＣの種別（例えば、通常投票カード、ボックス投票カードなど）を識別するための種別識別コードＣｇ、マーク欄の位置を特定するためのタイミングマークＣｈなどが設けられている。
【００１９】
図３は、本実施形態１の自動発券装置２の構成例を示す機能ブロック図である。本実施形態１における自動発券装置２は、図３に示すように、挿入部２０１と、搬出部２０２、搬送部２０３と、読取部２０４と、記憶部２０５と、表示部２０６と、入力部２０７と、返却部２０８と、通信部２０９と、制御部２１０と、発券処理部２１１と、を備えて構成されている。
【００２０】
ファンが、記入済みの投票カードＣを自動発券装置２の挿入部２０１に挿入し、所定の操作を行うことで、自動発券装置２はファンが所望する投票券Ｂの発券処理を実行する。
【００２１】
挿入部２０１は、図９に示すように、複数枚の投票カードＣの挿入が可能な一括挿入口２０１Ａ、一枚のみ投票カードＣの挿入が可能な一枚挿入口２０１Ｂ、一括挿入口２０１Ａから挿入された投票カードＣ（挿入カードＣ１ともいう）を一時的に保管する保管部２０１Ｃなどで構成され、ファンが予め記入した投票カードＣを受け付ける。保管部２０１Ｃで保管されている投票カードＣは、後述の搬出制御部２１０Ａの制御の下、搬出部２０２を構成するピックローラ２０２Ａにより、一枚ずつ搬出される。一枚挿入口２０１Ｂは、例えば、記入誤りが有るために返却部２０８から返却された投票カードＣ（返却カードＣ２ともいう）を一枚ずつ挿入するために用いられる。
【００２２】
搬出部２０２は、ピックローラ２０２Ａと、ピックローラ２０２Ａを駆動する駆動モータ（図示なし）などで構成され、搬出制御部２１０Ａの制御の下、保管部２０１Ｃに保管されている挿入カードＣ１を一枚ずつ搬出する。
【００２３】
搬送部２０３は、複数の搬送ローラと複数の搬送ローラを駆動する駆動モータ（図示なし）などで構成され、例えば、挿入部２０１から挿入された投票カードＣを搬送したり、また、例えば、発券処理部２１１で発券された投票券Ｂを図示しない排出口から排出するために搬送したりする。
【００２４】
読取部２０４は、イメージセンサ２０４Ａなどで構成され、挿入部２０１に挿入された投票カードＣのマークなどを読み取り、読み取ったデータを記憶部２０５のデータエリアに格納する。より具体的には、読取部２０４は、種別識別コードＣｇに基づいて、処理対象の投票カードＣにおけるマーク可能部分を特定し、タイミングマークＣｈに対応したマーク欄に記入されたマークを識別する。そして、読取部２０４は、マーク範囲のドット数、マーク高さ、マーク幅が規定値内か否かを判定し、規定値内のマークを抽出する。この際、規定値外のマークはマークとして認識されない。
【００２５】
記憶部２０５は、ＲＡＭ（Random Access Memory）、ＲＯＭ（Read Only Memory）、ＨＤＤ（Hard Disk Drive）などで構成され、制御部２１０を構成するＣＰＵ（Central Processing Unit）のワークエリア、自動発券装置２全体を制御するための動作プログラムなどのプログラムを格納するプログラムエリア、読取部２０４で読み取った投票カードＣのデータなどの各種データを格納するデータエリアとして機能する。
【００２６】
表示部２０６は、ＬＣＤ（Liquid Crystal Display）などの表示装置などで構成され、ファンが挿入部２０１に挿入した投票カードＣの投票内容や、後述する修正指示画面Ｐ１などを表示する。
【００２７】
入力部２０７は、表示部２０６の画面上に表示されるタッチパネルなどで構成され、ファンによりタッチパネル上のボタンなどが選択されると、入力部２０７は、選択された指示内容を制御部２１０へ送信する。そして、制御部２１０は、自動発券装置２の各機能部を制御し、その指示内容に応じた処理を実行させる。
【００２８】
返却部２０８は、投票カードＣを一枚ずつ返却可能な返却口２０８Ａなどで構成され、例えば、後述の判定部２１０Ｃにより、投票カードＣの記入誤り数が予め設定された閾値Ｘを超えていると判定された場合に、後述の返却制御部２１０Ｄの制御の下、この返却部２０８を介して、その投票カードＣはファンへ一時的に返却される。また、例えば、ファンにより、キャンセルボタンＢ３が選択された場合に、返却制御部２１０Ｄの制御の下、返却部２０８を介して、処理対象の投票カードＣは返却される。
【００２９】
通信部２０９は、通信インターフェースなどで構成され、ネットワークＮＷを介して接続されている管理装置３との間で、データ通信を行う。例えば、通信部２０９は、後述の発券制御部２１０Ｇにより生成される投票情報Ｄ１（詳しくは後述）を管理装置３へ送信する。また、例えば、通信部２０９は、投票情報Ｄ１に応答して、管理装置３から送信されて来る後述の発券許可情報Ｄ２又は発券不許可情報Ｄ３を受信し、受信した情報を発券制御部２１０Ｇへ送信する。
【００３０】
ここで、発券制御部２１０Ｇにより生成される投票情報Ｄ１と、投票情報Ｄ１に応答して、管理装置３から送信されて来る発券許可情報Ｄ２と発券不許可情報Ｄ３について簡単に説明する。
【００３１】
投票情報Ｄ１には、読取部２０４より読み取られた処理対象の投票カードＣに記入（マーク）されている投票内容を示す投票内容情報Ｄ４が含まれる。管理装置３は、投票情報Ｄ１を受信すると、投票情報Ｄ１に含まれる投票内容情報Ｄ４が示す投票内容を受け付けることが可能か否かを判定し、受付可能と判定した場合には、発券許可情報Ｄ２を自動発券装置２へ返信し、受付可能でないと判定した場合には、発券不許可情報Ｄ３を自動発券装置２へ返信する。発券許可情報Ｄ２を受信すると、発券制御部２１０Ｇは、発券処理部２１１を制御して、許可対象の投票カードＣの投票内容を投票券Ｂに印字させ、投票内容を印字した投票券Ｂを排出口から排出する処理を実行する。
【００３２】
制御部２１０は、ＣＰＵなどで構成され、記憶部２０５のプログラムエリアに格納されている動作プログラムを実行して、図２に示すように、搬出制御部２１０Ａと、記入誤り検出部２１０Ｂと、判定部２１０Ｃと、返却制御部２１０Ｄと、種別判定部２１０Ｅと、比較判定部２１０Ｆと、発券制御部２１０Ｇと、入力画面制御部２１０Ｈとしての機能を実現すると共に、自動発券装置２全体を制御する制御処理や、後述の投票カード修正処理などの処理を実行する。
【００３３】
搬出制御部２１０Ａは、搬出部２０２を制御し、搬出部２０２により保管部２０１Ｃに保管されている投票カードＣを一枚ずつ搬出させる。
【００３４】
記入誤り検出部２１０Ｂは、挿入部２０１から挿入された投票カードＣの記入誤りを検出する。具体的には、記入誤り検出部２１０Ｂは、読取部２０４により読み取られた投票カードＣのデータと、記憶部２０５のデータエリアに予め格納されているテンプレートデータや発売可能な場・レース・式別・馬／組番号などとを比較することで、挿入された投票カードＣの記入誤りを検出する。記入誤りを検出した場合には、記入誤り検出部２１０Ｂは、更に、検出した記入誤りの数をカウントする。
【００３５】
判定部２１０Ｃは、記入誤り検出部２１０Ｂにより投票カードＣの記入誤りが検出されたか否かを判定する。そして、判定部２１０Ｃは、記入誤り検出部２１０Ｂにより投票カードＣの記入誤りが検出された場合には、記入誤り検出部２１０Ｂがカウントした記入誤り数が予め設定されている閾値Ｘ以内か否かをさらに判定する。
【００３６】
また、判定部２１０Ｃは、各種のボタン（例えば、キャンセルボタンＢ３、修正ボタンＢ４など）が選択されたか否かを判定する。また、判定部２１０Ｃは、投票情報Ｄ１に応答して、情報が管理装置３から送信されて来ると、その情報が発券許可情報Ｄ２か否かを判定する。
【００３７】
また、判定部２１０Ｃは、一枚挿入口２０１Ｂから投票カードＣが挿入されたか否かを判定する。例えば、一枚挿入口２０１Ｂから読取部２０４への搬送経路上に透過型センサが設置されており、透過型センサにより投票カードＣが検出されたか否かにより、判定部２１０Ｃは、一枚挿入口２０１Ｂから投票カードＣが挿入されたか否かを判定する。
【００３８】
さらに、判定部２１０Ｃは、一括挿入口２０１Ａから挿入された投票カードＣの発券処理が全て完了したか否かを判定する。例えば、一括挿入口２０１Ａから挿入された投票カードＣを一時的に保管する保管部２０１Ｃ内部には透過型センサが設置されており、その透過型センサにより投票カードＣが検出されない場合に、一括挿入口２０１Ａから挿入された投票カードＣの発券処理が全て完了したと判定する
【００３９】
返却制御部２１０Ｄは、挿入された投票カードＣの返却処理を実行する。例えば、判定部２１０Ｃにより、投票カードＣの記入誤り数が予め設定された閾値Ｘを越えていると判定された場合に、返却制御部２１０Ｄは、処理対象の投票カードＣを返却部２０８から返却させる。また、例えば、判定部２１０Ｃにより、投票情報Ｄ１に応答して、管理装置３から送信されて来た情報が発券不許可情報Ｄ３であると判定された場合に、返却制御部２１０Ｄは、不許可対象の投票カードＣを返却部２０８から返却させる。また、例えば、返却制御部２１０Ｄは、判定部２１０Ｃにより、処理対象の投票カードＣの記入誤り数が閾値Ｘ以内であると判定された場合に、処理対象の投票カードＣを返却部２０８から返却させる。
【００４０】
種別判定部２１０Ｅは、一枚挿入口２０１Ｂから投票カードＣが挿入されると、返却カードＣ２と一枚挿入口２０１Ｂから挿入された投票カードＣの種別が一致するか否かを判定する。具体的には、種別判定部２１０Ｅは、読取部２０４により読み取られた投票カードＣのデータに含まれる種別識別コードＣｇに基づいて、返却カードＣ２と一枚挿入口２０１Ｂから挿入された投票カードＣの種別が一致するか否かを判定する。
【００４１】
比較判定部２１０Ｆは、種別判定部２１０Ｅにより、返却カードＣ２と一枚挿入口２０１Ｂから挿入された投票カードＣ（挿入カードＣ１）の種別が一致すると判定された場合に、返却カードＣ２のデータと挿入カードＣ１のデータとを比較して、同一のカードか否かを判定する。具体的には、比較判定部２１０Ｆは、返却カードＣ２の返却前に読取部２０４により読み取られ、記憶部２０５に格納された返却カードＣ２のデータと、挿入カードＣ１のデータとを比較し、記入内容の一致率を求め、求めた一致率が予め設定されている閾値Ｚ１（例えば、９０％）以上か否かを判定することで、返却カードＣ２と挿入カードＣ１とが同一のカードか否かを判定する。
【００４２】
ここで、両カードの同一性を判定する際に、１００％の一致率を基準としないのは、ファンにより記入されたマークの位置や大きさなどが不明瞭なために、同じ投票カードＣを読取部２０４で読み取った場合であっても、読み取ったデータが必ずしも１００％一致するとは限らないためである。また、画面上で修正が完了しているにもかかわらず、投票カードＣの記入自体を修正して挿入するケースも想定されるためである。この際、例えば、開催場やレース番号が不一致となった場合には、一致率が閾値Ｚ１以上であっても、表示部２０６に確認画面を表示させ、ファンに確認させるように構成してもよい。これは、ファンが２以上の開催場で開催されるレースに投票する場合に、例えば、投票内容が開催場以外は同じとなることが起き得るからである。
【００４３】
発券制御部２１０Ｇは、判定部２１０Ｃにより処理対象の投票カードＣに記入誤りがないと判定された場合などに、投票情報Ｄ１を生成して、通信部２０９を介して、生成した投票情報Ｄ１を管理装置３へ送信する。また、発券制御部２１０Ｇは、管理装置３から送信される発券許可情報Ｄ２を受信すると、発券処理部２１１を制御し、管理装置３により発券が許可された投票カードＣに対応する投票券Ｂを発券する処理を実行させる。
【００４４】
入力画面制御部２１０Ｈは、詳しくは後述の修正指示画面Ｐ１などの入力画面を表示部２０６の表示画面上に表示させる処理を実行する。例えば、入力画面制御部２１０Ｈは、判定部２１０Ｃにより、記入誤り検出部２１０Ｂがカウントした記入誤り数が閾値Ｘ以内であると判定された場合に、修正指示画面Ｐ１を表示部２０６の表示画面上に表示させる。また、例えば、入力画面制御部２１０Ｈは、修正指示画面Ｐ１に従ってボタンの選択（正しい組番の選択など）が行われた場合に、後述の修正内容確認画面Ｐ２ａを表示部２０６の表示画面上に表示させる。
【００４５】
また、例えば、入力画面制御部２１０Ｈは、一枚挿入口２０１Ｂから挿入された投票カードＣ（挿入カードＣ１）が処理中のカードではない（返却カードＣ２と一枚挿入口２０１Ｂから挿入された挿入カードＣ１が一致していない）と判定された場合に、優先選択画面（図示なし）を、例えば、修正内容確認画面Ｐ２ａ上に重畳表示させる。ファンにより、優先選択画面上に設けられた挿入カードＣ１の処理を優先させるためのカード優先ボタンが選択された場合には、記入誤り検出部２１０Ｂによる記入誤りの検出処理が挿入カードＣ１に対して実行される。一方、ファンにより、優先選択画面に設けられた修正処理を優先させるための修正優先ボタンが選択された場合には、挿入カードＣ１を返却し、修正対象の投票カードＣが一枚挿入口２０１Ｂから挿入されるのを待つ。
【００４６】
発券処理部２１１は、印字プリンタなどで構成され、発券制御部２１０Ｇの制御の下、管理装置３により発券が許可された投票カードＣの投票内容を投票券Ｂに印字して、投票券Ｂの発券処理を実行する。
【００４７】
ここで、図４乃至図６を参照して、修正指示画面Ｐ１及び修正内容確認画面Ｐ２ａについて説明する。図４は、処理対象の投票カードＣの記入誤りが、組番ブロックＣｄにおける記入誤りである場合の修正指示画面Ｐ１の例を示す図である。図４の例では、枠線Ｌ１で囲まれた２−４−５が記入誤りである。また、修正指示画面Ｐ１には、図４に示すように、マーク選択ボタンＢ１、発売中選択ボタンＢ２、キャンセルボタンＢ３などが設けられている。
【００４８】
マーク選択ボタンＢ１は、図４の例においては、枠線Ｌ１で囲まれた範囲内の番号から正しい番号を選択するためのボタンである。発売中選択ボタンＢ２は、図４の例においては、該当するレース（本例では、東京で開催のレース０１Ｒ）において発売されている番号の一覧から正しい番号を選択するためのボタンである。例えば、正しい組番が２−５の場合、ファンは、マーク選択ボタンＢ１を用いて正しい番号を選択してもよいし、発売中選択ボタンＢ２を用いて正しい番号を選択してもよい。また、例えば、正しい組番が２−３の場合は、ファンは、発売中選択ボタンＢ２を用いて正しい番号を選択する。キャンセルボタンＢ３は、例えば、ファンが、修正対象の投票カードＣの発券は不要であると判断した場合に、ファンにより選択される。
【００４９】
図５は、処理対象の投票カードＣの記入誤りが、組番ブロックＣｄにおける記入誤りであり、組番の記入が一部欠落している場合の修正指示画面Ｐ１の例を示す図である。図５の例では、枠線Ｌ２で囲まれた部分の記入が欠落している。この場合、枠線Ｌ２で囲まれた範囲内には番号がないため、マーク選択ボタンＢ１による番号の選択はできない。
【００５０】
図４と図５の例では、記入誤りが組番ブロックＣｄにある場合であったが、例えば、複数の開催場にマークされている場合には、マークされている複数の開催場の一覧がマーク選択ボタンＢ１に表示され、現在投票可能な開催場の一覧が発売中選択ボタンＢ２に表示される。
【００５１】
図６は、修正内容確認画面Ｐ２ａの例を示す図である。図６の例では、枠線Ｌ３で囲まれた部分において修正が行われたことを示している。修正内容確認画面Ｐ２ａには、図６に示すように、修正ボタンＢ４とキャンセルボタンＢ３などが設けられている。また、修正内容確認画面Ｐ２ａには、図６に示すように、「この内容で良ければ、先程一時返却された投票カードを一枚挿入口に入れてください。入れると発券します」とのメッセージが表示される。ファンは、枠線Ｌ３で囲まれた部分の修正が正しいと判断した場合には、表示されているメッセージに従って、処理対象の投票カードＣ（返却された投票カードＣ）を一枚挿入口２０１Ｂから挿入する。一方、枠線Ｌ３で囲まれた部分の修正が誤りである判断した場合には、ファンは、修正ボタンＢ４を選択し、修正指示画面Ｐ１に戻り、再度の修正を行う。
【００５２】
次に、図７と図８を参照して、本実施形態１における投票カード修正処理のフローについて説明する。図７は、本実施形態１における投票カード修正処理のフローを説明するためのフローチャートの例の一部であり、図８は、フローチャートの例の他の一部である。本投票カード修正処理は、挿入部２０１を構成する一括挿入口２０１Ａに投票カードＣが挿入されたことをトリガとして開始される。一括挿入口２０１Ａに挿入された投票カードＣは、上述したように、一時的に保管部２０１Ｃに保管される。
【００５３】
一括挿入口２０１Ａに投票カードＣが挿入されると、搬出制御部２１０Ａは、搬出部２０２を制御し、保管部２０１Ｃに保管されている投票カードＣを一枚搬出させる（ステップＳ００１）。そして、読取部２０４は、搬出部２０２により搬出された投票カードＣの投票内容などを読み取り、読み取ったデータを記憶部２０５のデータエリアに格納する（ステップＳ００２）。
【００５４】
そして、記入誤り検出部２１０Ｂは、読取部２０４により読み取られた投票カードＣのデータと、記憶部２０５のデータエリアに予め格納されているテンプレートデータや発売可能な場・レース・式別・馬／組番号などとを比較し、挿入された投票カードＣの記入誤りを検出する（ステップＳ００３）。この際、記入誤りを検出した場合には、記入誤り検出部２１０Ｂは、更に、検出した記入誤りの数をカウントする。
【００５５】
判定部２１０Ｃは、記入誤り検出部２１０Ｂにより投票カードＣの記入誤りが検出されたか否かを判定する（ステップＳ００４）。判定部２１０Ｃにより、記入誤り検出部２１０Ｂが投票カードＣの記入誤りを検出しなかったと判定された場合には（ステップＳ００４；ＮＯ）、処理は後述のステップ００５の処理へと進む。
【００５６】
一方、記入誤り検出部２１０Ｂにより投票カードＣの記入誤りが検出されたと判定した場合には（ステップＳ００４；ＹＥＳ）、判定部２１０Ｃは、記入誤り検出部２１０Ｂがカウントした記入誤り数が予め設定されている閾値Ｘ以内か否かをさらに判定する（ステップＳ１０１）。
【００５７】
判定部２１０Ｃにより、処理対象の投票カードＣの記入誤り数が閾値Ｘを越えていると判定された場合には（ステップＳ１０１；ＮＯ）、処理はステップ５０１の処理へと進み、返却制御部２１０Ｄにより処理対象の投票カードＣの返却処理が実行され、記入誤り数が閾値Ｘを越えていると判定された投票カードＣは返却部２０８から返却される（ステップＳ５０１）。そして、処理は、ステップＳ００１の処理に戻り、前述の処理を繰り返す。
【００５８】
一方、判定部２１０Ｃにより、処理対象の投票カードＣの記入誤り数が閾値Ｘ以内であると判定された場合には（ステップＳ１０１；ＹＥＳ）、入力画面制御部２１０Ｈは、処理対象の投票カードＣにおける記入誤りの修正を指示する修正指示画面Ｐ１を表示部２０６の表示画面上に表示させる（ステップＳ１０２）。そして、返却制御部２１０Ｄは、処理対象の投票カードＣを返却部２０８から返却させる（ステップＳ１０３）。そして、ファンは、返却された処理対象の投票カードＣの記入内容を確認しながら、修正指示画面Ｐ１に従って、画面上のタッチパネルなどを操作することにより処理対象の投票カードＣの記入誤り部分の修正を行う。
【００５９】
そして、判定部２１０Ｃは、修正指示画面Ｐ１上のボタンが選択された否かを判定する（ステップＳ１０４）。判定部２１０Ｃにより、修正指示画面Ｐ１上のボタンがまだ選択されていないと判定された場合には（ステップＳ１０４；ＮＯ）、処理はステップＳ１０４の処理を繰り返し、修正指示画面Ｐ１上のボタンが選択されるのを待つ。
【００６０】
一方、修正指示画面Ｐ１上のボタンが選択されたと判定した場合には（ステップＳ１０４；ＹＥＳ）、判定部２１０Ｃは、更に、選択されたボタンがキャンセルボタンＢ３か否かを判定する（ステップＳ１０５）。判定部２１０Ｃにより、選択されたボタンがキャンセルボタンＢ３であると判定された場合には（ステップＳ１０５；ＹＥＳ）、処理は、修正指示画面Ｐ１上の投票カードＣのデータを破棄し、ステップＳ００１の処理に戻り、前述の処理を繰り返す。
【００６１】
一方、選択されたボタンはキャンセルボタンＢ３ではないと判定した場合には（ステップＳ１０５；ＮＯ）、判定部２１０Ｃは、更に、修正が完了したか否かを判定する（ステップＳ１０６）。例えば、表示中の修正指示画面Ｐ１が図４に例示した修正指示画面Ｐ１である場合には、判定部２１０Ｃは、マーク選択ボタンＢ１と発売中選択ボタンＢ２のいずれかを用いてファンが２つの番号を選択したか否かを判定することで、修正が完了したか否かを判定する。
【００６２】
判定部２１０Ｃにより、修正がまだ完了していないと判定された場合には（ステップＳ１０６；ＮＯ）、処理はステップＳ１０５の処理に戻り、前述の処理を繰り返す。一方、判定部２１０Ｃにより、修正が完了したと判定された場合には（ステップＳ１０６；ＹＥＳ）、入力画面制御部２１０Ｈは、修正内容確認画面Ｐ２ａを表示部２０６の表示画面上に表示させる（ステップＳ１０７）。
【００６３】
そして、判定部２１０Ｃは、一枚挿入口２０１Ｂから投票カードＣが挿入されたか否かを判定する（ステップＳ１０８）。投票カードＣは一枚挿入口２０１Ｂからまだ挿入されていないと判定した場合には（ステップＳ１０８；ＮＯ）、判定部２１０Ｃは、更に、修正内容確認画面Ｐ２ａに設けられた修正ボタンＢ４が選択されたか否かを判定する（ステップＳ２０１）。
【００６４】
判定部２１０Ｃにより、修正ボタンＢ４が選択されたと判定された場合には（ステップＳ２０１；ＹＥＳ）、入力画面制御部２１０Ｈは、処理対象の投票カードＣにおける記入誤りの修正を指示する修正指示画面Ｐ１を表示部２０６の表示画面上に再び表示させる（ステップＳ２０２）。そして、処理はステップＳ１０４の処理に戻り、前述の処理を繰り返す。一方、判定部２１０Ｃにより、修正ボタンＢ４は選択されていないと判定された場合には（ステップＳ２０１；ＮＯ）、処理はステップＳ１０８の処理に戻り、前述の処理を繰り返す。
【００６５】
一方、判定部２１０Ｃにより、投票カードＣが一枚挿入口２０１Ｂから挿入されたと判定された場合には（ステップＳ１０８；ＹＥＳ）、読取部２０４は、一枚挿入口２０１Ｂから挿入された投票カードＣの投票内容などを読み取り、読み取ったデータを記憶部２０５のデータエリアに格納する（ステップＳ１０９）。
【００６６】
そして、種別判定部２１０Ｅは、ステップＳ１０３の処理で返却した処理対象の投票カードＣと一枚挿入口２０１Ｂから挿入された投票カードＣの種別が一致するか否かを判定する（ステップＳ１１０）。
【００６７】
種別判定部２１０Ｅにより、ステップＳ１０３の処理で返却した処理対象の投票カードＣ（返却カードＣ２）と一枚挿入口２０１Ｂから挿入された投票カードＣ（挿入カードＣ１）の種別が一致すると判定された場合には（ステップＳ１１０；ＹＥＳ）、比較判定部２１０Ｆは、返却カードＣ２の返却前に読取部２０４により読み取られ、記憶部２０５に格納された返却カードＣ２のデータと、挿入カードＣ１のデータとを比較し、記入内容の一致率を求め、求めた一致率が予め設定されている閾値Ｚ１（例えば、９０％）以上か否かを判定する（ステップＳ１１１）。
【００６８】
比較判定部２１０Ｆにより、返却カードＣ２と挿入カードＣ１の記入内容の一致率が閾値Ｚ１以上であると判定された場合には（ステップＳ１１１；ＹＥＳ）、処理はステップＳ００５の処理へと進む。一方、比較判定部２１０Ｆにより、返却カードＣ２と挿入カードＣ１の記入内容の一致率が閾値Ｚ１より小さいと判定された場合には（ステップＳ１１１；ＮＯ）、処理はステップＳ３０１の処理へと進む。
【００６９】
一方、ステップＳ１１０の処理において、種別判定部２１０Ｅにより、返却カードＣ２と挿入カードＣ１の種別が一致しないと判定された場合には（ステップＳ１１０；ＮＯ）、処理はステップＳ３０１の処理へと進み、入力画面制御部２１０Ｈは、修正内容確認画面Ｐ２ａ上に優先選択画面を重畳表示させる（ステップＳ３０１）。
【００７０】
そして、判定部２１０Ｃは、優先選択画面に設けられた挿入カードＣ１の処理を優先させるためのカード優先ボタンが選択されたか否かを判定する（ステップＳ３０２）。判定部２１０Ｃにより、カード優先ボタンが選択されたと判定された場合には（ステップＳ３０２；ＹＥＳ）、処理はステップＳ００３の処理へ戻り、前述の処理を繰り返す。一方、判定部２１０Ｃにより、カード優先ボタンは選択されていないと判定された場合には（ステップＳ３０２；ＮＯ）、返却制御部２１０Ｄは、挿入カードＣ１を返却部２０８から返却させる（ステップＳ４０１）。
【００７１】
そして、判定部２１０Ｃは、再び、一枚挿入口２０１Ｂから投票カードＣが挿入されたか否かを判定する（ステップＳ４０２）。判定部２１０Ｃにより、投票カードＣが一枚挿入口２０１Ｂからまだ挿入されていないと判定された場合には（ステップＳ４０２；ＮＯ）、処理はステップＳ４０２の処理を繰り返し、投票カードＣが一枚挿入口２０１Ｂから挿入されるのを待つ。
【００７２】
一方、判定部２１０Ｃにより、投票カードＣが一枚挿入口２０１Ｂから挿入されたと判定された場合には（ステップＳ４０２；ＹＥＳ）、処理はステップＳ１０９の処理へと戻り、前述の処理を繰り返す。
【００７３】
ここで、ステップＳ００４の処理でＮＯと判定された場合、又は、ステップＳ１１１の処理でＹＥＳと判定された場合には、ステップＳ００５の処理へと進み、発券制御部２１０Ｇは、投票情報Ｄ１を生成して、通信部２０９を介して、生成した投票情報Ｄ１を管理装置３へ送信する（ステップＳ００５）。
【００７４】
そして、判定部２１０Ｃは、管理装置３からの返信があったか否かを判定する（ステップＳ００６）。判定部２１０Ｃにより、管理装置３からの返信はまだないと判定された場合には（ステップＳ００６；ＮＯ）、処理はステップＳ００６の処理を繰り返し、管理装置３からの応答を待つ。
【００７５】
一方、管理装置３からの返信があったと判定した場合には（ステップＳ００６；ＹＥＳ）、判定部２１０Ｃは、更に、それが発券許可情報Ｄ２か否かを判定する（ステップＳ００７）。判定部２１０Ｃにより、発券不許可情報Ｄ３を受信したと判定された場合には（ステップＳ００７；ＮＯ）、処理はステップＳ５０１の処理へと進み、返却制御部２１０Ｄにより発券不許可となった投票カードＣの返却処理が実行され、発券不許可となった投票カードＣは返却部２０８から返却される（ステップＳ５０１）。そして、処理は、ステップＳ００１の処理に戻り、前述の処理を繰り返す。
【００７６】
一方、判定部２１０Ｃにより、発券許可情報Ｄ２を受信したと判定された場合には（ステップＳ００７；ＹＥＳ）、発券制御部２１０Ｇは、発券処理部２１１を制御し、管理装置３により発券が許可された投票カードＣに対応する投票券Ｂを発券する処理を実行させる（ステップＳ００８）。
【００７７】
そして、判定部２１０Ｃは、一括挿入口２０１Ａから挿入された投票カードＣの発券処理が全て完了したか否かを判定する（ステップＳ００９）。判定部２１０Ｃにより、一括挿入口２０１Ａから挿入された投票カードＣの発券処理がまだ完了していないと判定された場合には（ステップＳ００９；ＮＯ）、処理はステップＳ００１の処理へと戻り、前述の処理を繰り返す。一方、判定部２１０Ｃにより、一括挿入口２０１Ａから挿入された投票カードＣの発券処理が全て完了したと判定された場合には（ステップＳ００９；ＹＥＳ）、処理は終了する。
【００７８】
次に、図９の例に従って、本実施形態１における投票カード修正処理の流れを簡単に説明する。図９は、実施形態１の自動発券装置における物理的構成の例の概略図である。
【００７９】
一括挿入口２０１Ａから投票カードＣが挿入されると、挿入された投票カードＣは、保管部２０１Ｃに一時的に保管される。保管部２０１Ｃに保管されている投票カードＣは一枚ずつピックローラ２０２Ａにより搬出される（ステップＳ００１）。そして、ピックローラ２０２Ａにより搬出された投票カードＣは、読取部２０４を構成するイメージセンサ２０４Ａにより記入内容などが読み取られ、読み取られたデータは記憶部２０５のデータエリアに格納される（ステップＳ００２）。
【００８０】
そして、処理対象の投票カードＣは、一次保留部Ｓ１へと搬送される。そして、記入誤り検出処理（ステップＳ００３とＳ００４）が実行され、記入誤りが無い場合には（ステップＳ００４；ＮＯ）、発券処理（ステップＳ００５以降の処理）が実行される。
【００８１】
一方、記入誤りが有り（ステップＳ００４；ＹＥＳ）、その誤り数が閾値Ｘを越える場合には（ステップＳ１０１；ＮＯ）、処理対象の投票カードＣは、一次保留部Ｓ１から搬送され、返却口２０８Ａから返却される。記入誤りが有り（ステップＳ００４；ＹＥＳ）、その誤り数が閾値Ｘ以内の場合には（ステップＳ１０１；ＹＥＳ）、処理対象の投票カードＣの修正処理（ステップＳ１０２以降の処理）が実行される。処理対象の投票カードＣに対応する修正指示画面Ｐ１が表示部２０６の表示画面上に表示されると共に、処理対象の投票カードＣは一次保留部Ｓ１から搬送されて返却口２０８Ａから返却される（ステップＳ１０２とＳ１０３）。
【００８２】
そして、ファンは返却された修正対象の投票カードＣの記入内容を確認しながら、表示されている修正指示画面Ｐ１に従って、画面上で修正処理（所望するボタンの選択など）を行う。そして、修正に必要な処理が全て済んだ段階で（ステップＳ１０６；ＹＥＳ）、修正内容確認画面Ｐ２ａが表示部２０６の表示画面上に表示される（ステップＳ１０７）。
【００８３】
ファンは、修正内容確認画面Ｐ２ａに示された修正内容を確認して、その内容に問題がなければ、修正内容確認画面Ｐ２ａの指示に従って、返却された投票カードＣを一枚挿入口２０１Ｂから再び挿入する（ステップＳ１０８；ＹＥＳ）。一枚挿入口２０１Ｂから投票カードＣが挿入されると、その投票カードＣは読取部２０４へと搬送され、読取部２０４を構成するイメージセンサ２０４Ａにより記入内容などが読み取られ、読み取られたデータは記憶部２０５のデータエリアに格納される（ステップＳ１０９）。
【００８４】
そして、一枚挿入口２０１Ｂから挿入された投票カードＣは、一次保留部Ｓ１へ搬送される。ファンが一枚挿入口２０１Ｂから挿入した投票カードＣが、一時的に返却されたカードである場合は（ステップＳ１１０；ＹＥＳ且つステップＳ１１１；ＹＥＳ）、発券処理（ステップＳ００５以降の処理）が実行される。
【００８５】
一方、ファンが間違って、一枚挿入口２０１Ｂから別の投票カードＣを挿入してしまった場合は（ステップＳ１１０；ＮＯ又はステップＳ１１１；ＮＯ）、別の投票カードＣの処理と修正対象の投票カードＣの処理の内、どちらの処理を実行するのかをファンに選択させるための優先選択画面が修正内容確認画面Ｐ２ａ上に重畳表示され（ステップＳ３０１）、その選択に応じた処理（ステップＳ３０２以降の処理）が実行される。
【００８６】
例えば、ファンにより、修正対象の投票カードＣの処理が選択された場合は（ステップＳ３０２；ＮＯ）、一枚挿入口２０１Ｂから挿入された別の投票カードＣは、一次保留部Ｓ１から搬送され返却口２０８Ａから返却される（ステップＳ４０１）。そして、ファンが一時的に返却された正しい投票カードＣを一枚挿入口２０１Ｂから挿入すると（ステップＳ４０１、ステップＳ１１０、ステップＳ１１１のいずれもＹＥＳ）、発券処理（ステップＳ００５以降の処理）が実行される。
【００８７】
上記実施形態１によれば、記入誤りの数が規定数（閾値Ｘ）以下の場合には、修正指示画面Ｐ１を表示すると共に、自動的に処理対象の投票カードＣを一時的に返却した。このように構成することで、ファンは、記入誤りがある投票カードＣと修正指示画面Ｐ１を見比べながら修正することができるため、記入誤りのある投票カードＣの修正を迅速且つ確実に行わせることが可能となる。これにより、ファンサービスと自動発券装置の稼動効率とを向上されることが可能となる。
【００８８】
また、上記実施形態１によれば、一時的に返却された投票カードＣを再び挿入させることで発券するように構成した。このように構成することで、発券のために投票カードＣは回収されるため、２重発券を防止することが可能となる。
【００８９】
また、上記実施形態１によれば、修正内容確認画面Ｐ２ａに従って、一時的に返却された投票カードＣを再び挿入すると、返却した投票カードＣと再び挿入された投票カードＣとの同一性を確認した。このように構成することで、２重発券を確実に防止することが可能となる。そして、ファンが誤って別の投票カードＣを挿入してしまった場合には、挿入された別の投票カードＣの処理を実行するか、もしくは、処理中の投票カードＣの処理を実行するのかをファンに選択させるように構成した。このように構成することで、例えば、挿入を忘れた投票カードＣがあり、その投票カードＣの処理を早く行いたい場合など、ファンの要望に応じた対応が可能となり、ファンサービスの一層の向上を図ることが可能となる。
【００９０】
（実施形態２）
上記実施形態１においては、ステップＳ１０６の処理で修正が完了したか否かを判定し、修正がまだ完了していないと判定された場合には、処理はステップＳ１０５の処理へと戻り、修正が完了するのを待つ構成とした。本実施形態２においては、修正指示画面Ｐ１に従った修正がまだ完了していない段階でも、一枚挿入口２０１Ｂで投票カードＣを受け付けて、その処理を実行するように構成する。
【００９１】
本実施形態２の自動発券装置２の構成は、基本的には、実施形態１のときと同じである。但し、比較判定部２１０Ｆが果たす機能が実施形態１の場合とは若干異なる。
【００９２】
比較判定部２１０Ｆは、種別判定部２１０Ｅにより、返却カードＣ２と一枚挿入口２０１Ｂから挿入された投票カードＣ（挿入カードＣ１）の種別が一致すると判定された場合に、返却カードＣ２のデータと挿入カードＣ１のデータとを比較して、同一のカードか否かを判定する。
【００９３】
具体的には、比較判定部２１０Ｆは、修正内容確認画面Ｐ２ａが表示された後に一枚挿入口２０１Ｂから投票カードＣが挿入された場合には、返却カードＣ２の返却前に読取部２０４により読み取られ、記憶部２０５に格納された返却カードＣ２のデータと、挿入カードＣ１のデータとを比較し、記入内容の一致率を求め、求めた一致率が予め設定されている閾値Ｚ１（例えば、９０％）以上か否かを判定することで、返却カードＣ２と挿入カードＣ１とが同一のカードか否かを判定する。
【００９４】
また、比較判定部２１０Ｆは、修正指示画面Ｐ１に従った修正が完了する前に一枚挿入口２０１Ｂから投票カードＣが挿入された場合には、返却カードＣ２の返却前に読取部２０４により読み取られ、記憶部２０５に格納された返却カードＣ２のデータと、挿入カードＣ１のデータとを比較し、修正指示がされている部分以外における記入内容の一致率を求め、求めた一致率が予め設定されている閾値Ｚ２（例えば、９３％）以上か否かを判定することで、返却カードＣ２と挿入カードＣ１とが同一のカードか否かを判定する。例えば、図５を参照して、修正対象となっている部分が枠線Ｌ２で囲まれた組番である場合には、それ以外の記入内容の一致率が閾値Ｚ２以上か否かを判定する。
【００９５】
次に、図１０を参照して、本実施形態２における投票カード修正処理の流れについて説明する。図１０は、本実施形態２における投票カード修正処理のフローを説明するためのフローチャートの例の一部である。本実施形態２における投票カード修正処理の処理ステップは、ステップＳ１０４より前とステップＳ１０６より後においては、実施形態１の場合と同じである。以下の説明においては、図１０を参照して、本実施形態２における特徴的な処理の部分について説明する。
【００９６】
判定部２１０Ｃは、修正指示画面Ｐ１上のボタンが選択された否かを判定する（ステップＳ１０４）。判定部２１０Ｃにより、修正指示画面Ｐ１上のボタンがまだ選択されていないと判定された場合には（ステップＳ１０４；ＮＯ）、処理はステップＳ６０１の処理へと進む。
【００９７】
一方、修正指示画面Ｐ１上のボタンが選択されたと判定した場合には（ステップＳ１０４；ＹＥＳ）、判定部２１０Ｃは、更に、選択されたボタンがキャンセルボタンＢ３か否かを判定する（ステップＳ１０５）。判定部２１０Ｃにより、選択されたボタンがキャンセルボタンＢ３であると判定された場合には（ステップＳ１０５；ＹＥＳ）、処理は、修正指示画面Ｐ１上の投票カードＣのデータを破棄し、ステップＳ００１の処理に戻り、前述の処理を繰り返す。
【００９８】
一方、選択されたボタンはキャンセルボタンＢ３ではないと判定した場合には（ステップＳ１０５；ＮＯ）、判定部２１０Ｃは、更に、修正が完了したか否かを判定する（ステップＳ１０６）。例えば、表示中の修正指示画面Ｐ１が図４に例示した修正指示画面Ｐ１である場合には、判定部２１０Ｃは、マーク選択ボタンＢ１と発売中選択ボタンＢ２のいずれかを用いてファンが２つの番号を選択したか否かを判定することで、修正が完了したか否かを判定する。
【００９９】
判定部２１０Ｃにより、修正が完了したと判定された場合には（ステップＳ１０６；ＹＥＳ）、実施形態１において説明したように、処理はステップＳ１０７の処理へと進む。一方、修正がまだ完了していないと判定した場合には（ステップＳ１０６；ＮＯ）、判定部２１０Ｃは、更に、一枚挿入口２０１Ｂから投票カードＣが挿入されたか否かを判定する（ステップＳ６０１）。
【０１００】
判定部２１０Ｃにより、一枚挿入口２０１Ｂから投票カードＣはまだ挿入されていないと判定された場合には（ステップＳ６０１；ＮＯ）、処理はステップＳ１０４の処理へと戻り、前述の処理を繰り返す。
【０１０１】
一方、判定部２１０Ｃにより、一枚挿入口２０１Ｂから投票カードＣが挿入されたと判定された場合には（ステップＳ６０１；ＹＥＳ）、読取部２０４は、一枚挿入口２０１Ｂから挿入された投票カードＣの投票内容などを読み取り、読み取ったデータを記憶部２０５のデータエリアに格納する（ステップＳ６０２）。
【０１０２】
そして、種別判定部２１０Ｅは、ステップＳ１０３の処理で返却した処理対象の投票カードＣと一枚挿入口２０１Ｂから挿入された投票カードＣの種別が一致するか否かを判定する（ステップＳ６０３）。
【０１０３】
種別判定部２１０Ｅにより、ステップＳ１０３の処理で返却した処理対象の投票カードＣ（返却カードＣ２）と一枚挿入口２０１Ｂから挿入された投票カードＣ（挿入カードＣ１）の種別が一致すると判定された場合には（ステップＳ６０３；ＹＥＳ）、比較判定部２１０Ｆは、返却カードＣ２の返却前に読取部２０４により読み取られ、記憶部２０５に格納された返却カードＣ２のデータと、挿入カードＣ１のデータとを比較し、修正対象以外の部分の記入内容の一致率を求め、求めた一致率が予め設定されている閾値Ｚ２以上か否かを判定する（ステップＳ６０４）。
【０１０４】
比較判定部２１０Ｆにより、返却カードＣ２と挿入カードＣ１の修正対象以外の部分の記入内容の一致率が閾値Ｚ２以上であると判定された場合には（ステップＳ６０４；ＹＥＳ）、処理はステップＳ００３の処理へと進む。
【０１０５】
一方、種別判定部２１０Ｅにより、返却カードＣ２と挿入カードＣ１の種別が一致しないと判定された場合（ステップＳ６０３；ＮＯ）、及び、比較判定部２１０Ｆにより、返却カードＣ２と挿入カードＣ１の記入内容の一致率が閾値Ｚ２より小さいと判定された場合には（ステップＳ６０４；ＮＯ）、処理はステップＳ３０１の処理へと進む。
【０１０６】
上記実施形態２によれば、修正指示画面Ｐ１に従った修正がまだ完了していない段階でも、一枚挿入口２０１Ｂで投票カードＣを受け付けて、処理を実行するように構成した。このように構成することで、ファンは修正指示画面Ｐ１を見ながら返却された投票カードＣを修正し、修正した投票カードＣを一枚挿入口２０１Ｂに挿入することにより発券することも可能となる。例えば、ファンが装置の操作をあまり得意としないような場合には、ファンは修正指示画面Ｐ１に従って、投票カードＣにおける実際の記入誤りを修正して、修正後の投票カードＣを再び挿入することによる発券が可能となり、ファンサービスの一層の向上を図ることが可能となる。また、ファンが装置の操作をあまり得意としないような場合には、画面上での修正に手間取り、発券出来なかったなどクレームの要因となり得るが、本構成により、そのようなクレームの要因を取り除くことが可能となる。
【０１０７】
（実施形態３）
上記実施形態１と２においては、投票カードＣの記入誤りの個数が、閾値Ｘ以内である場合には、自動的に処理対象の投票カードＣを返却し、一枚挿入口２０１Ｂにその投票カードＣが挿入されたことをトリガとして、返却した投票カードＣの発券を行った。
【０１０８】
本実施形態３においては、図１１に示すように、修正指示画面Ｐ１上にカード一時返却ボタンＢ５を設け、カード一時返却ボタンＢ５がファンにより選択された場合のみ、処理対象の投票カードＣを返却するように構成する。さらに、修正対象の投票カードＣを返却しないで、画面上で修正を行う場合には、図１２に示すように、修正内容が正しい場合に選択する確認ボタンＢ６を修正内容確認画面Ｐ２ｂ上に設け、その確認ボタンＢ６が選択されたことをトリガとして、処理対象の投票カードＣの発券を行う。ここで、図１１と図１２は、それぞれ、実施形態３における修正指示画面Ｐ１の例を示す図と、修正対象の投票カードＣを返却しないで画面上で修正が実行された場合の修正内容確認画面Ｐ２ｂの例を示す図である。
【０１０９】
本実施形態３の自動発券装置２の構成は、基本的には、実施形態１のときと同じである。但し、上述したように、修正指示画面Ｐ１上にカード一時返却ボタンＢ５が設けられ、カード一時返却ボタンＢ５が選択された場合のみ、修正対象の投票カードＣが返却される点で、実施形態１とは異なっている。また、修正対象の投票カードＣを返却しないで画面上で修正を行う場合の修正内容確認画面Ｐ２ｂには、確認ボタンＢ６が設けられ、この確認ボタンＢ６が選択された場合に、処理対象の投票カードＣの発券が行われる点で、実施形態１とは異なっている。
【０１１０】
次に、図１３を参照して、本実施形態３における投票カード修正処理の流れについて説明する。図１３は、本実施形態３における投票カード修正処理のフローを説明するためのフローチャートの例の一部である。本実施形態３における投票カード修正処理の処理ステップは、ステップＳ１０１より前とステップＳ１０３より後においては、実施形態１又は形態２の場合と同じである。以下の説明においては、図１３を参照して、本実施形態３における特徴的な処理の部分について説明する。
【０１１１】
記入誤り検出部２１０Ｂにより投票カードＣの記入誤りが検出されたと判定した場合には（ステップＳ００４；ＹＥＳ）、判定部２１０Ｃは、記入誤り検出部２１０Ｂがカウントした記入誤り数が予め設定されている閾値Ｘ以内か否かをさらに判定する（ステップＳ１０１）。
【０１１２】
判定部２１０Ｃにより、処理対象の投票カードＣの記入誤り数が閾値Ｘを越えていると判定された場合には（ステップＳ１０１；ＮＯ）、処理はステップ５０１の処理へと進み、返却制御部２１０Ｄにより処理対象の投票カードＣの返却処理が実行され、記入誤り数が閾値Ｘを越えていると判定された投票カードＣは返却部２０８から返却される（ステップＳ５０１）。そして、処理は、ステップＳ００１の処理に戻り、前述の処理を繰り返す。
【０１１３】
一方、判定部２１０Ｃにより、処理対象の投票カードＣの記入誤り数が閾値Ｘ以内であると判定された場合には（ステップＳ１０１；ＹＥＳ）、入力画面制御部２１０Ｈは、処理対象の投票カードＣにおける記入誤りの修正を指示する修正指示画面Ｐ１を表示部２０６の表示画面上に表示させる（ステップＳ１０２）。
【０１１４】
そして、判定部２１０Ｃは、修正指示画面Ｐ１上のカード一時返却ボタンＢ５をファンが選択したか否かを判定する（ステップＳ１０３Ａ）。判定部２１０Ｃにより、カード一時返却ボタンＢ５が選択されたと判定された場合には（ステップＳ１０３Ａ；ＹＥＳ）、返却制御部２１０Ｄは、処理対象の投票カードＣを返却部２０８から返却させる（ステップＳ１０３）。そして、ファンは、返却された処理対象の投票カードＣの記入内容を確認しながら、修正指示画面Ｐ１に従って、画面上で処理対象の投票カードＣの修正を行う。
【０１１５】
一方、カード一時返却ボタンＢ５は選択されていないと判定した場合には（ステップＳ１０３Ａ；ＮＯ）、判定部２１０Ｃは、更に、キャンセルボタンＢ３が選択されたか否かを判定する（ステップＳ７０１）。判定部２１０Ｃにより、キャンセルボタンＢ３が選択されたと判定された場合には（ステップＳ７０１；ＹＥＳ）、処理はステップ５０１の処理へと進み、返却制御部２１０Ｄにより処理対象の投票カードＣの返却処理が実行され、処理対象の投票カードＣは返却部２０８から返却される（ステップＳ５０１）。そして、処理は、ステップＳ００１の処理に戻り、前述の処理を繰り返す。
【０１１６】
一方、キャンセルボタンＢ３は選択されていないと判定した場合には（ステップＳ７０１；ＮＯ）、判定部２１０Ｃは、更に、修正が完了したか否かを判定する（ステップＳ７０２）。例えば、表示中の修正指示画面Ｐ１が図１１に例示した修正指示画面Ｐ１である場合には、判定部２１０Ｃは、発売中選択ボタンＢ２を用いて、不明であるとされた番号を選択したか否かを判定することで、修正が完了したか否かを判定する。本例（図１１）では、１つの番号が選択された時点で、修正が完了したと判定する。
【０１１７】
判定部２１０Ｃにより、修正はまだ完了していないと判定された場合には（ステップＳ７０２；ＮＯ）、処理はステップＳ１０３Ａの処理へと戻り、前述の処理を繰り返す。一方、判定部２１０Ｃにより、修正が完了したと判定された場合には（ステップＳ７０２；ＹＥＳ）、入力画面制御部２１０Ｈは、修正内容確認画面Ｐ２ｂを表示部２０６の表示画面上に表示させる（ステップＳ７０３）。
【０１１８】
そして、判定部２１０Ｃは、修正内容確認画面Ｐ２ｂ上の修正ボタンＢ４が選択されたか否かを判定する（ステップＳ７０４）。判定部２１０Ｃにより、修正内容確認画面Ｐ２ｂ上の修正ボタンＢ４が選択されたと判定された場合には（ステップＳ７０４；ＹＥＳ）、処理はステップＳ１０２の処理へと戻り、前述の処理を繰り返す。
【０１１９】
一方、修正ボタンＢ４は選択されていないと判定した場合には（ステップＳ７０４；ＮＯ）、判定部２１０Ｃは、更に、修正内容確認画面Ｐ２ｂ上の確認ボタンＢ６が選択されたか否かを判定する（ステップＳ７０５）。判定部２１０Ｃにより、修正内容確認画面Ｐ２ｂ上の確認ボタンＢ６が選択されたと判定された場合には（ステップＳ７０５；ＹＥＳ）、処理はステップＳ００５の処理へと進む。
【０１２０】
一方、確認ボタンＢ６は選択されていないと判定した場合には（ステップＳ７０５；ＮＯ）、判定部２１０Ｃは、更に、修正内容確認画面Ｐ２ｂ上のキャンセルボタンＢ３が選択されたか否かを判定する（ステップＳ７０６）。
【０１２１】
判定部２１０Ｃにより、修正内容確認画面Ｐ２ｂ上のキャンセルボタンＢ３が選択されたと判定された場合には（ステップＳ７０６；ＹＥＳ）、処理はステップ５０１の処理へと進み、返却制御部２１０Ｄにより処理対象の投票カードＣの返却処理が実行され、処理対象の投票カードＣは返却部２０８から返却される（ステップＳ５０１）。そして、処理は、ステップＳ００１の処理に戻り、前述の処理を繰り返す。
【０１２２】
一方、判定部２１０Ｃにより、修正内容確認画面Ｐ２ｂ上のキャンセルボタンＢ３は選択されていないと判定された場合には（ステップＳ７０６；ＮＯ）、処理はステップＳ７０４の処理へと戻り、前述の処理を繰り返す。
【０１２３】
上記実施形態３によれば、修正指示画面Ｐ１上にカード一時返却ボタンＢ５を設け、カード一時返却ボタンＢ５がファンにより選択された場合のみ、処理対象の投票カードＣを返却するように構成した。このように構成することで、投票カードＣの修正を行う際に、わざわざ、投票カードＣを手元で確認しながら修正する必要がないにもかかわらず、投票カードＣが返却されてしまうのを防止し、ファンの必要に応じた対応が可能となる。これにより、投票カードＣの修正処理の迅速化を図ることが可能となる。
【０１２４】
（実施形態４）
上記実施形態１乃至３において、一枚挿入口２０１Ｂと返却口２０８Ａは、物理的に独立した挿入口又は排出口として構成したが、これに限定されるものではなく、例えば、一枚挿入口２０１Ｂと返却口２０８Ａとを一体的に構成してもよい。また、一枚挿入口２０１Ｂと返却口２０８Ａとしての機能を一括挿入口２０１Ａが兼ねるように構成してもよい。
【０１２５】
本実施形態４においては、一枚挿入口２０１Ｂと返却口２０８Ａとしての機能を一括挿入口２０１Ａが兼ねるように構成した場合について説明する。また、本実施形態４においては、挿入された全投票カードＣを一旦読み込み、記入誤りがありその誤り数が閾値Ｘを越える場合はその投票カードＣは返却し、記入誤りがあるが誤り数が閾値Ｘ以下の場合には、投票カードＣは、一次保留部Ｓ１とは別に設けられたエラーカード保留部Ｓ２に保留するように構成する。そして、全ての投票カードＣの記入誤り検出が実行された後に、エラーカード保留部Ｓ２に保留されている投票カードＣを一枚ずつ繰出して、返却口２０８Ａの機能を兼ね備えた一括挿入口２０１Ａから返却するように構成する。
【０１２６】
以下に、図１４と図１５を参照して、一括挿入口２０１Ａが一枚挿入口２０１Ｂと返却口２０８Ａとしての機能を兼ねる場合の構成について説明する。なお、本実施形態４の自動発券装置２の構成は、基本的には、実施形態１のときと同じである。但し、図１４に示すように、一枚挿入口２０１Ｂと返却口２０８Ａとしての機能を一括挿入口２０１Ａが兼ねる点と、記入誤りの数が閾値Ｘ以下の場合にその投票カードを一時的に保留するためのエラーカード保留部Ｓ２を備える点と、搬出部２０２がエラーカード保留部Ｓ２に保留されている投票カードＣを一枚ずつ搬出するためのピックローラ２０２Ｂをさらに備える点で、実施形態１と異なっている。また、判定部２１０Ｃが果たす機能が異なる。
【０１２７】
図１４は、本実施形態４の自動発券装置２の物理的構成の例の概略図である。図１４に示すように、一括挿入口２０１Ａにおいて投票カードＣの挿入及び返却が行われる。新たに設けたれたエラーカード保留部Ｓ２の内部には、図１４に示すように、例えば、透過型センサが設けられ、透過型センサによりエラーカード保留部Ｓ２内の投票カードＣの有無が検出される。また、図１４に示すように、エラーカード保留部Ｓ２から投票カードＣを一枚ずつ搬出するためのピックローラ２０２Ｂが設けられ、ピックローラ２０２Ｂは、搬出制御部２１０Ａの制御の下、図示しない駆動モータにより駆動される。
【０１２８】
次に、判定部２１０Ｃが果たす機能の中で、実施形態１の場合と異なる部分について説明する。判定部２１０Ｃは、エラーカード保留部Ｓ２内部に設けられた透過型センサにより投票カードＣが存在することが検出されたか否かにより、エラーカード保留部Ｓ２に投票カードＣが有るか否かを判定する。また、判定部２１０Ｃは、全ての発券処理が完了したか否かを判定する際に（ステップＳ００９）、保管部２０１Ｃだけでなく、エラーカード保留部Ｓ２内の投票カードＣの有無を確認し、保管部２０１Ｃとエラーカード保留部Ｓ２のいずれにも投票カードＣが存在しない場合に、全ての発券処理が完了したと判定する。
【０１２９】
図１５は、本実施形態４における投票カード修正処理のフローを説明するためのフローチャートの例の一部である。なお、図１５の例は、本実施形態４の構成を、実施形態１に適用した場合のフローチャートの例の一部である。本実施形態４における投票カード修正処理の処理ステップは、ステップＳ００４より後とステップＳ１０３Ａより後においては、実施形態１の場合と同じである。以下の説明においては、図１５を参照して、本実施形態４における特徴的な処理の部分について説明する。
【０１３０】
本投票カード修正処理は、実施形態１の場合と同様に、挿入部２０１を構成する一括挿入口２０１Ａに投票カードＣが挿入されたことをトリガとして開始され、一括挿入口２０１Ａに挿入された投票カードＣは、一時的に保管部２０１Ｃに保管される。
【０１３１】
一括挿入口２０１Ａに投票カードＣが挿入されると、判定部２１０Ｃは、保管部２０１Ｃに投票カードＣが有るか否かを判定する（ステップＳ００１Ａ）。判定部２１０Ｃにより、保管部２０１Ｃに投票カードＣが有ると判定された場合には（ステップＳ００１Ａ；ＹＥＳ）、搬出制御部２１０Ａは、搬出部２０２を制御し、保管部２０１Ｃに保管されている投票カードＣを一枚搬出させる（ステップＳ００１）。そして、読取部２０４は、搬出部２０２により搬出された投票カードＣの投票内容などを読み取り、読み取ったデータを記憶部２０５のデータエリアに格納する（ステップＳ００２）。
【０１３２】
そして、記入誤り検出部２１０Ｂは、読取部２０４により読み取られた投票カードＣのデータと、記憶部２０５のデータエリアに予め格納されているテンプレートデータや発売可能な場・レース・式別・馬／組番号などとを比較し、挿入された投票カードＣの記入誤りを検出する（ステップＳ００３）。この際、記入誤りを検出した場合には、記入誤り検出部２１０Ｂは、更に、検出した記入誤りの数をカウントする。
【０１３３】
判定部２１０Ｃは、記入誤り検出部２１０Ｂにより投票カードＣの記入誤りが検出されたか否かを判定する（ステップＳ００４）。判定部２１０Ｃにより、記入誤り検出部２１０Ｂが投票カードＣの記入誤りを検出しなかったと判定された場合には（ステップＳ００４；ＮＯ）、処理は実施形態１で説明したステップ００５の処理へと進む。
【０１３４】
一方、記入誤り検出部２１０Ｂにより投票カードＣの記入誤りが検出されたと判定した場合には（ステップＳ００４；ＹＥＳ）、判定部２１０Ｃは、更に、記入誤り検出部２１０Ｂがカウントした記入誤り数が予め設定されている閾値Ｘ以内か否かをさらに判定する（ステップＳ１０１）。
【０１３５】
判定部２１０Ｃにより、処理対象の投票カードＣの記入誤り数が閾値Ｘを越えていると判定された場合には（ステップＳ１０１；ＮＯ）、処理はステップ５０１の処理へと進み、返却制御部２１０Ｄにより処理対象の投票カードＣの返却処理が実行され、記入誤り数が閾値Ｘを越えていると判定された投票カードＣは返却部２０８から返却される（ステップＳ５０１）。そして、処理は、ステップＳ００１Ａの処理に戻り、前述の処理を繰り返す。
【０１３６】
一方、判定部２１０Ｃにより、処理対象の投票カードＣの記入誤り数が閾値Ｘ以内であると判定された場合には（ステップＳ１０１；ＹＥＳ）、制御部２１０の制御の下、搬送部２０３により、処理対象の投票カードＣはエラーカード保留部Ｓ２へと搬送される（ステップＳ１０１Ａ）。そして、処理はステップＳ００１Ａの処理に戻り、前述の処理を繰り返す。
【０１３７】
一方、ステップＳ００１Ａにおいて、保管部２０１Ｃに投票カードＣが無いと判定した場合には（ステップＳ００１Ａ；ＮＯ）、判定部２１０Ｃは、更に、エラーカード保留部Ｓ２に投票カードＣが存在するか否かを判定する（ステップＳ１０１Ｂ）。判定部２１０Ｃにより、エラーカード保留部Ｓ２にも投票カードＣが存在しないと判定された場合には（ステップＳ１０１Ｂ；ＮＯ）、処理は終了し、次に一括挿入口２０１Ａから投票カードＣが挿入されるのを待つ。
【０１３８】
一方、判定部２１０Ｃにより、エラーカード保留部Ｓ２には投票カードＣが存在すると判定された場合には（ステップＳ１０１Ｂ；ＹＥＳ）、入力画面制御部２１０Ｈは、返却対象の投票カードＣにおける記入誤りの修正を指示する修正指示画面Ｐ１を表示部２０６の表示画面上に表示させる（ステップＳ１０２）。そして、搬出制御部２１０Ａの制御の下、ピックローラ２０２Ｂにより返却対象の投票カードＣ（本例では、一番上にあるカードから順番に繰出す）を搬出し、返却制御部２１０Ｄは、その返却対象の投票カードＣを一括挿入口２０１Ａから返却させる（ステップＳ１０３Ａ）。そして、ファンは、返却された修正対象の投票カードＣの記入内容を確認しながら、修正指示画面Ｐ１に従って、画面上で処理対象の投票カードＣの修正を行う。そして、処理は実施形態１で説明したステップＳ１０４の処理へと進む。
【０１３９】
上記実施形態４によれば、一枚挿入口２０１Ｂと返却口２０８Ａとしての機能を一括挿入口２０１Ａが兼ねるように構成した。このように構成することで、部品点数の削減、省スペース化、省エネ化を図ることが可能となる。
【０１４０】
また、上記実施形態４によれば、挿入された全投票カードＣを一旦読み込み、記入誤りがあるが誤り数が閾値Ｘ以下の投票カードＣは、一次保留部Ｓ１とは別に設けられたエラーカード保留部Ｓ２に保留するように構成した。そして、全ての投票カードＣの記入誤り検出が実行された後に、エラーカード保留部Ｓ２に保留されている投票カードＣを一枚ずつ繰出して返却し、返却した投票カードＣの修正処理を実行するように構成した。このように構成することで、記入誤りのない投票カードＣの発券処理を先に行うことが可能となる。これにより、例えば、記入誤りが無いにもかかわらず、先に処理された投票カードＣの修正処理に手間取ったために、締め切りに間に合わなかったと言ったクレームの要因を取り除くことが可能となり、ファンサービスの一層の向上を図ることが可能となる。
【０１４１】
なお、上記実施形態１乃至４において投票カードＣとしてＯＭＲカード式の投票カードＣを例に説明したが、これに限定されるものではなく、本発明は、申し込みカードを挿入することで申し込み内容を反映した券を発券する機能を有する装置に適用可能である。
【０１４２】
また、実施形態４において説明した、一次保留部Ｓ１とは別にエラーカード保留部Ｓ２を設け、挿入された全投票カードＣを一旦読み込み、記入誤りがあるが誤り数が閾値Ｘ以下の投票カードＣを一時的にエラーカード保留部Ｓ２に保留し、全ての投票カードＣの記入誤り検出が実行された後に、エラーカード保留部Ｓ２に保留されている投票カードＣを一枚ずつ繰出して返却し、返却した投票カードＣの修正処理を実行する構成を、実施形態１乃至３に対して適用することも可能である。
【０１４３】
また、上記実施形態１乃至４において、読取部２０４は、マーク範囲のドット数、マーク高さ、マーク幅が規定値内か否かを判定し、規定値外のマークはマークとして認識しないと説明したが、これに限定されるものではなく、規定値外のマークをマークとして認識するように構成してもよい。例えば、マークドット数が規定値Ｍ以上の場合に通常マークとして読取部２０４が認識する場合に、Ｍ＞＞Ｎ≒０として、マークドット数がＭより小さく且つＮよりも大きい場合、すなわち、Ｍ＞マークドット数＞Ｎの場合に、そのマークを規定外マークとして読取部２０４が認識するように構成する。
【０１４４】
このように構成することで、実施形態１乃至４においてはマークとして認識しなかったマークを記入誤りとして修復指示画面Ｐ１に表示させることが可能となり、ファンが所望する投票内容での発券を迅速且つ確実に行えるようになる。ここで、図１６と図１７は、いずれも、処理対象の投票カードＣのマークに規定外のマークが存在した場合の修正指示画面Ｐ１の例を示す図である。
【０１４５】
図１６の例では、枠線Ｌ６に囲まれた部分に規定外のマークがあることを示しており、この場合の修復指示画面Ｐ１には、規定外のマークから読み取られた番号などを表示する規定外マーク選択ボタンＢ７が設けられている。図１６の例では、規定外のマークから読み取られた番号２と４が規定外マーク選択ボタンＢ７として表示され、ファンは、規定外マーク選択ボタンＢ７として表示されている番号（２と４）が正しければ、その番号を選択することで、記入誤りを修正することが可能となる。一方、規定外マーク選択ボタンＢ７として表示されている番号（２と４）が正しくなければ、ファンは、発売中選択ボタンＢ２から正しい番号を選択することで、記入誤りを修正することが可能となる。
【０１４６】
図１７の例では、場名ブロックＣａ内に規定外のマークと複数の通常マーク（東京と中山）があることを示しており（枠線Ｌ７に囲まれた部分）、この場合の修正指示画面Ｐ１には、図１７に示すように、東京と中山がマーク選択ボタンＢ１として表示され、規定外マークから読み取られた阪神が規定外マーク選択ボタンＢ７として表示される。
【０１４７】
また、上記実施形態１乃至４において、種別判定部２１０Ｅと比較判定部２１０Ｆとにより、返却カードＣ２と一枚挿入口２０１Ｂ（又は一括挿入口２０１Ａ）から挿入された投票カードＣとの同一性を判定すると説明した。しかしながら、これに限定されるものではなく、例えば、図１８Ａに示すように、投票カードＣを一時的に返却する際に、返却する投票カードＣ上に、例えば、「一時返却」と印字して返却するように構成してもよい。また、例えば、図１８Ｂに示すように、投票カードＣを一時的に返却する際に、パンチホールを開けて返却するように構成してもよい。また、例えば、図１８Ｃに示すように、投票カードＣを一意に識別可能な識別情報（例えば、バーコード）を予め各投票カードＣに付加し、一時的に返却する投票カードＣの識別情報を記憶部２０５のデータエリアに格納し、一枚挿入口２０１Ｂ（又は一括挿入口２０１Ａ）から挿入された投票カードＣの識別情報と照合することで両カードの同一性を判定することが可能となる。このように、返却カードＣ２と一枚挿入口２０１Ｂ（又は一括挿入口２０１Ａ）から挿入された投票カードＣとの同一性を判定可能な方法であればよい。
【０１４８】
また、上記実施形態１乃至４において、保管部２０１Ｃ内部や一枚挿入口２０１Ｂから読取部２０４への搬送経路上などに設けられた透過型センサの検出結果に基づいて、判定部２１０Ｃは、全ての発券が完了したか否か、一枚挿入口２０１Ｂから投票カードＣが挿入されたか否か、などを判定すると説明した。しかしながら、これに限定されるものではなく、例えば、検知スイッチなどを用いて、その検知結果などに基づいて判定するように構成してもよい。
【０１４９】
なお、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magnet Optical Disk）などのコンピュータで読み取り可能な記録媒体に記憶して配布し、これを自動発券装置２のコンピュータにインストールすることにより、上述の処理を実行するように構成してもよい。さらに、インターネット上のサーバ装置が有するディスク装置等にプログラムを記憶しておき、例えば、搬送波に重畳させて、コンピュータにダウンロード等するものとしてもよい。
【０１５０】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【０１５１】
１            トータリゼータシステム
２            自動発券装置
２０１      挿入部
２０１Ａ  一括挿入口
２０１Ｂ  一枚挿入口
２０１Ｃ  保管部
２０２      搬出部
２０２Ａ  ピックローラ
２０２Ｂ  ピックローラ
２０３      搬送部
２０４      読取部
２０４Ａ  イメージセンサ
２０５      記憶部
２０６      表示部
２０７      入力部
２０８      返却部
２０８Ａ  返却口
２０９      通信部
２１０      制御部
２１０Ａ  搬出制御部
２１０Ｂ  記入誤り検出部
２１０Ｃ  判定部
２１０Ｄ  返却制御部
２１０Ｅ  種別判定部
２１０Ｆ  比較判定部
２１０Ｇ  発券制御部
２１０Ｈ  入力画面制御部
２１１      発券処理部
Ｓ１        一次保留部
Ｓ２        エラーカード保留部
３            管理装置
ＮＷ          ネットワーク
Ｃ            投票カード
Ｃａ        場名ブロック
Ｃｂ        レース番号ブロック
Ｃｃ        式別ブロック
Ｃｄ        組番ブロック
Ｃｅ        金額ブロック
Ｃｆ        単位ブロック
Ｃｇ        種別識別コード
Ｃｈ        タイミングマーク
Ｐ１          修正指示画面
Ｐ２ａ        修正内容確認画面
Ｐ２ｂ        修正内容確認画面
Ｌ１〜７      枠線
Ｂ１          マーク選択ボタン
Ｂ２          発売中選択ボタン
Ｂ３          キャンセルボタン
Ｂ４          修正ボタン
Ｂ５          カード一時返却ボタン
Ｂ６          確認ボタン
Ｂ７          規格外マーク選択ボタン
【図１】
2014206796.tif 000003
【図２】
2014206796.tif 000004
【図３】
2014206796.tif 000005
【図４】
2014206796.tif 000006
【図５】
2014206796.tif 000007
【図６】
2014206796.tif 000008
【図７Ａ】
2014206796.tif 000009
【図７Ｂ】
2014206796.tif 000010
【図８】
2014206796.tif 000011
【図９】
2014206796.tif 000012
【図１０】
2014206796.tif 000013
【図１１】
2014206796.tif 000014
【図１２】
2014206796.tif 000015
【図１３】
2014206796.tif 000016
【図１４】
2014206796.tif 000017
【図１５】
2014206796.tif 000018
【図１８Ａ】
2014206796.tif 000019
【図１８Ｃ】
2014206796.tif 000020
【図１６】
2014206796.tif 000021
【図１７】
2014206796.tif 000022
【図１８Ｂ】
2014206796.tif 000023